(57)【要約】【課題】モータステー部をファンケースの一側壁と共に一体射出成形しながら、その一側壁に形成する吸込部で吸込み抵抗の軽減を図る。【解決手段】モータステー部２３ａから放射状に延びる複数の繋ぎ壁２３ｂ〜２３ｄのみを形成することにより、モータステー部２３ａの周囲に開口する吸込部２４の開口面積の拡大を図り、同心円状の繋ぎ壁を形成することに代えて、周方向等配で３箇所に断面Ｈ状の強化繋ぎ壁２３ｂを形成することにより、モータステー部２３ａの支持強度を確保した。【選択図】図８
2009281700.tif 000002
【特許請求の範囲】
【請求項１】
外気取入部と空気噴出部とを外面に形成されたケーシングと、水平軸回りに回転させる送風ファンと、前記水平軸と同心に配置された駆動モータとを備え、前記ケーシング内に、前記送風ファンを収めるファンケースと、前記ファンケースの一側壁に形成された吸込部と前記外気取入部を連通させる流入経路と、前記ファンケースの吐出部と前記空気噴出部を連通させる流出経路とが設けられており、前記駆動モータ用のモータステー部は、前記ファンケースの一側壁と共に一体射出成形されており、前記吸込部は、前記モータステー部の周囲に開口している空気調和機において、前記モータステー部は、該モータステー部から放射状に延びる複数の繋ぎ壁のみで前記一側壁と一体になっており、周方向に隣り合う各繋ぎ壁間に前記吸込部が開口しており、前記複数の繋ぎ壁の中に、一側面又は両側面に突き出る補強リブ部が放射方向に延びる強化繋ぎ壁を含むことを特徴とする空気調和機。
【請求項２】
前記強化繋ぎ壁は、周方向に沿った断面形状でＨ状を成すように前記補強リブ部を形成されている請求項１に記載の空気調和機。
【請求項３】
前記ファンケースの一側壁と前記ケーシングの一側壁との間から外れた位置に、着脱を要する手入れ部が配置されている請求項１又は２に記載の空気調和機。
【請求項４】
前記手入れ部として空気浄化フィルタと加湿フィルタとを備え、前記流入経路は、前記ファンケースの他側壁と前記ケーシングの他側壁との間に設けられた空気浄化フィルタを下方に向かって流れ、前記ファンケースの下方に配置された加湿フィルタを側方に通過し、前記ファンケースの一側壁と前記ケーシングの一側壁との間の下から上昇して前記吸込部に至るように設けられており、前記ケーシングの他側壁を外すと前記空気浄化フィルタが露出させられる請求項３に記載の空気調和機。
【発明の詳細な説明】
【技術分野】
【０００１】
この発明は、空気清浄機、加湿空気清浄機といった空気調和機に関し、特に、水平軸回りに回転させる送風ファンを備えたものに関する。
【背景技術】
【０００２】
この種の空気調和機として、外気取入部と空気噴出部とを外面に形成されたケーシングと、送風ファンの水平軸と同心に配置された駆動モータとを備え、ケーシング内に、送風ファンを収めるファンケースと、ファンケースの一側壁に形成された吸込部と外気取入部を連通させる流入経路と、ファンケースの吐出部と空気噴出部を連通させる流出経路とが設けられているものがある。吸込部は、放射状に延びる複数の繋ぎ壁と、周方向に隣り合う繋ぎ壁間を繋ぐ同心円状の複数の繋ぎ壁とにより、一側方から視てファンケースの一側壁に指が通り難い小さな網目状を成すように形成されている（例えば、特許文献１、２）。
【０００３】
従来、駆動モータのモータステー部は、前掲の特許文献１、２のようにファンケースの他側壁やケーシングの他側壁に設けられている。
【０００４】
また、駆動モータ用のモータステー部は、ファンケースの一側壁と共に一体射出成形されることもある。この場合、送風ファンの一側方を開放させるため、吸込部は、モータステー部の周囲に開口している。モータステー部とファンケースの一側壁は、前記の網目状の繋ぎ壁で一体になっている。モータステー部の周囲に吸込部を形成するため、駆動モータを取り付けるモータステー部の振れを防止する必要があり、上記網目状の繋ぎ壁でモータステー部の支持強度を確保している。
【０００５】
【特許文献１】特開２００７−１９０４１２号公報（特に図１、２）
【特許文献２】特開２００７−３８１２６号公報（特に図１〜３、５）
【発明の開示】
【発明が解決しようとする課題】
【０００６】
しかしながら、上述のように、モータステー部をファンケースの一側壁と共に一体射出成形した場合、吸込部の開口面積が不足し、吸込部の吸込み抵抗が大きくなることがあった。
【０００７】
上記の事情に鑑み、この発明の課題は、モータステー部をファンケースの一側壁と共に一体射出成形しながら、その一側壁に形成する吸込部で吸込み抵抗の軽減を図ることにある。
【課題を解決するための手段】
【０００８】
前記課題を解決するため、この発明は、外気取入部と空気噴出部とを外面に形成されたケーシングと、水平軸回りに回転させる送風ファンと、前記水平軸と同心に配置された駆動モータとを備え、前記ケーシング内に、前記送風ファンを収めるファンケースと、前記ファンケースの一側壁に形成された吸込部と前記外気取入部を連通させる流入経路と、前記ファンケースの吐出部と前記空気噴出部を連通させる流出経路とが設けられており、前記駆動モータ用のモータステー部は、前記ファンケースの一側壁と共に一体射出成形されており、前記吸込部は、前記モータステー部の周囲に開口している空気調和機において、前記モータステー部は、該モータステー部から放射状に延びる複数の繋ぎ壁のみで前記一側壁と一体になっており、周方向に隣り合う各繋ぎ壁間に前記吸込部の開口しており、前記複数の繋ぎ壁の中に、一側面又は両側面に突き出る補強リブ部が放射方向に延びる強化繋ぎ壁を含む構成を採用した。
【発明の効果】
【０００９】
この発明の構成によれば、モータステー部は、該モータステー部から放射状に延びる複数の繋ぎ壁のみでファンケースの一側壁と一体になっており、周方向に隣り合う各繋ぎ壁間に吸込部の開口している。このため、従来と比して同心円状の複数の繋ぎ壁を無くした分、吸込部の開口面積を増やすことができる。
複数の繋ぎ壁の中に、一側面又は両側面に突き出る補強リブ部が放射方向に延びる強化繋ぎ壁を含めることにより、同心円状の複数の繋ぎ壁を無くしたことで低下し得るモータステー部の支持強度を補うことができる。したがって、この発明は、モータステー部をファンケースの一側壁と共に一体射出成形しながら、その一側壁に形成する吸込部で吸込み抵抗の軽減を図ることができる。
【発明を実施するための最良の形態】
【００１０】
以下、この発明の各実施形態を説明する。
第１実施形態に係る空気調和機（以下、単に「第１実施形態」と略称する。他の実施形態も同じく略称する。）は、前記強化繋ぎ壁は、周方向に沿った断面形状でＨ状を成すように前記補強リブ部を形成されているものである。
【００１１】
補強リブ部を強化繋ぎ壁の両側面に形成する方が、一方の側面のみに形成した場合と比して曲げ剛性を効率よく高めることができる。特に断面Ｈ状を成すように形成すれば、捻れ剛性を効率よく高めることができる。このため、第１実施形態は、繋ぎ壁の総側面面積を減らすのに特に好適である。
【００１２】
なお、強化繋ぎ壁は、同心円状の繋ぎ壁を無くした分の支持強度を補う目的から、周方向に支持強度をバランスよく補うため、その断面形状によらず周方向の少なくとも３ヶ所に等配されていることが好ましい。
【００１３】
第２実施形態は、前記ファンケースの一側壁と前記ケーシングの一側壁との間から外れた位置に、手入れを要する手入れ部が配置されているものである。
【００１４】
前掲の特許文献１のように吸込部を指が通り難い小さな網目状にするのは、着脱を要する手入れ部を吸込部とケーシングの一側壁との間に配置し、ケーシングの一側壁を着脱式とするためである。すなわち、ケーシングの一側壁を外した状態で手入れ部を外すと、吸込部が露出するため、吸込部に指を入れた状態で送風ファンが回るような事態を防ぐことが求められる。
【００１５】
着脱を要する手入れ部として、空気浄化フィルタ、加湿フィルタ、加湿フィルタを浸ける水タンク等が挙げられる。
【００１６】
第２実施形態は、着脱を要する手入れ部をファンケースの一側壁とケーシングの一側壁との間から外れた位置としたため、繋ぎ壁に頼らずに上述のような事態を防ぐことができる。このため、第２実施形態は、安全性を維持しながらも吸込部の開口面積を増やし易い。
【００１７】
第３実施形態は、前記手入れ部として空気浄化フィルタと加湿フィルタとを備え、前記流入経路は、前記ファンケースの他側壁と前記ケーシングの他側壁との間に設けられた空気浄化フィルタを下方に向かって流れ、前記ファンケースの下方に配置された加湿フィルタを側方に通過し、前記ファンケースの一側壁と前記ケーシングの一側壁との間の下から上昇して前記吸込部に至るように設けられており、前記ケーシングの他側壁を外すと前記空気浄化フィルタが露出させられるものである。
【００１８】
空気浄化フィルタと加湿フィルタとを備える場合、外気取入部から流入経路に入った空気を先に加湿フィルタに通すと、空気浄化フィルタも加湿されてしまい、衛生面、性能維持等の点で好ましくない。このため、先に空気浄化フィルタを空気を通してから加湿フィルタに通す方がよい。
空気が空気浄化フィルタを下方に向かって流れ、ファンケースの下方に配置された加湿フィルタを側方に通過し、ファンケースの一側壁と前記ケーシングの一側壁との間の下から上昇して前記吸込部に至るようにすれば、ファンケースの他側壁とケーシングの他側壁との間の空間を有効に利用して空気浄化フィルタを通過する経路長を確保することができる。
空気浄化フィルタや加湿フィルタは、性能維持のため、定期的に清掃、交換、補水等の手入れを要する。流入経路を上記のように設ければ、空気浄化フィルタや加湿フィルタの配置を適切に行いながら、ファンケースの一側壁とケーシングの一側壁との間を外すことができる。
したがって、第３実施形態は、加湿と空気浄化の両方を備える高機能でありながら手入れ時に吸込部が露出するようなケーシング構造にする必要がなく、しかも吸込部の開口面積を増やすことができる。
【実施例】
【００１９】
以下、添付図面に基いてこの発明に係る実施例に係る空気調和機を説明する（以下、単に「実施例」と略称する）。
図１〜図３に示すように、第１実施例は、外気取入部１１と空気噴出部１２とを外面に形成されたケーシング１０と、水平軸２１回りに回転させる送風ファン２０と、水平軸２１と同心に配置された駆動モータ３０と、空気浄化フィルタ４１、４２と、加湿フィルタ４３とを備えている。ケーシング１０内に、送風ファン２０を収めるファンケース２２と、ファンケース２２の一側壁２３に形成された吸込部２４と外気取入部１１を連通させる流入経路Ａ１〜Ａ４と、ファンケース２２の吐出部２５と空気噴出部１２を連通させる流出経路Ｂとが設けられている。
【００２０】
図２、図４、図５に示すように、ケーシング１０は、水平軸方向両側から組み合わせてファンケース２２を形成する２つの中核部材１３、１４と、一方の中核部材１３の一側面に固定するフロントパネル１５と、他方の中核部材１４の他側面に脱するバックパネル１６と、中核部材１３、１４で形成される引き出し口１７からファンケース２２の下方に出し入れ可能な水タンク１８と、水タンク１８の上方に被せるタンクカバー１９とで形成されている。外気取入部１１は、バックパネル１６に形成されている。フロントパネル１５は、タンクカバー１９と共にケーシング１０の一側壁を成している。バックパネル１６は、タンクカバー１９と共にケーシング１０の他側壁を成している。
【００２１】
タンクカバー１９を外すと、水タンク１８の一部が露出し、そこへ上方から給水タンク５０を載せるようになっている。
【００２２】
図５、図６に示すように、給水タンク５０の上面に、把持ハンドル５１の回転中心となる一対の軸部５２、５２が設けられている。把持ハンドル５１は、未使用のとき、横倒しするようになっている。このとき、把持ハンドル５１に形成された突部５３、５３が一対の軸部５２、５２の脇に形成された凹部５４、５４に入り込み、把持ハンドル５１をこの自重に抗して回り止めするようになっている。給水タンク５０に水を入れようとするとき、把持ハンドル５１を横倒ししてハンドル側を底に給水タンク５０を立てることになる。給水タンク５０を立てようとするとき、前記の回り止めが有効なため、勝手に把持ハンドル５１が下側に倒れることがない。
【００２３】
図３、図７に示すように、中核部材１３、１４は、合成樹脂の一体射出成形品とされている。
【００２４】
図２、図７に示すように、中核部材１４は、ファンケース２２の他側壁２６と、他側壁２６の他側面に突き出た囲い壁１４ａと、囲い壁１４ａの下端に繋がる底壁１４ｂとを形成されている。底壁１４ｂと他側壁２６の下端との間に通気口１４ｃが空いている。他側壁２６の他側面に、多数のリブ２６ａが他側方に向かって突出するように形成されている。空気浄化フィルタ４１、４２は、ファンケース２２の他側壁２６とバックパネル１６との間に設けられる。
【００２５】
空気浄化フィルタ４１、４２は、それぞれ通過する空気をろ過する交換式のものとされている。バックパネル１６を外すと空気浄化フィルタ４１、４２が露出させられるので、交換することができる。このとき、ファンケース２２の内部が中核部材１４から露出する部分はない。
【００２６】
水タンク１８に加湿フィルタ４３を浸けるようになっている。加湿フィルタ４３は、水タンク１８内の水を自然と吸い上げ、これを通過する空気に加湿するようになっている。
【００２７】
図２、図３、図８に示すように、中核部材１３は、ファンケース２２の一側壁２３と、駆動モータ３０用のモータステー部２３ａと、モータステー部２３ａから放射状に延びる複数の繋ぎ壁２３ｂ〜２３ｄと、一側壁２３から一側方に向かって突出する多数のリブ２３ｅとを形成されている。
【００２８】
モータステー部２３ａは、この中央部から放射状に延びる複数の繋ぎ壁２３ｂ〜２３ｄのみで一側壁２３と一体になっている。
【００２９】
複数の繋ぎ壁２３ｂ〜２３ｄの中には、周方向に沿った面部２３ｆの両側面に側方に突き出る補強リブ部２３ｇ、２３ｇ、２３ｇ、２３ｇが放射方向に延びる強化繋ぎ壁２３ｂ、２３ｂ、２３ｂを含む。各強化繋ぎ壁２３ｂは、周方向に沿った断面形状でＨ状を成すように補強リブ部２３ｇ、２３ｇ、２３ｇ、２３ｇを形成されている。
【００３０】
強化繋ぎ壁２３ｂ、２３ｂ、２３ｂは、周方向の３ヶ所に等配で形成されている。実施例は、断面Ｈ状の強化繋ぎ壁２３ｂ、２３ｂ、２３ｂを前記の周方向等配で形成することにより、同心円状の繋ぎ壁を形成することに代えて、モータステー部２３ａの支持強度を周方向にバランスよく、しかも効率よく高めることができる。
【００３１】
周方向に隣り合う強化繋ぎ壁２３ｂ、２３ｂ間に、他の繋ぎ壁２３ｃ、２３ｄが配置されている。繋ぎ壁２３ｃは、駆動モータ３０の配線固定に利用される。繋ぎ壁２３ｄ、２３ｄは、水平軸２１に沿った方向の板状になっている。繋ぎ壁２３ｄ、２３ｄは、流入抵抗になることを抑えつつ、モータステー部２３ａの支持強度を周方向にバランスよく高めるため、補助的に形成されている。
【００３２】
吸込部２４は、モータステー部２３ａの周囲で、周方向に隣り合う各繋ぎ壁２３ｂ〜２３ｄ間に開口している。各繋ぎ壁２３ｂ〜２３ｄ間にこれらを繋ぐ壁は無い。このため、実施例は、吸込部２４の開口面積を大きくし、吸込み抵抗の軽減を図ることができる。各吸込部２４の合計開口面積は、駆動モータ３０の支持に支障がない限りで最大限に確保することができる。
【００３３】
図２、図３に示すように、駆動モータ３０により送風ファン２０が回転させられることに伴い、外気取入部１１から空気が吸い込まれ、ファンケース２２の他側壁２６とバックパネル１６との間に設けられた空気浄化フィルタ４１、４２を下方に向かって流れる（経路Ａ１）。通気口１４ｃに達した空気は、ファンケース２２の下方に配置された水タンク１８内の加湿フィルタ４３を側方に通過する（経路Ａ２）。加湿フィルタ４３を抜けた空気は、ファンケース２２の一側壁２３とケーシング１０の一側壁を成すフロントパネル１５との間の下から上昇し（経路Ａ３）、吸込部２４に至る（経路Ａ４）。ファンケース２２内に入った空気は、吐出部２５を経て空気噴出部１２から噴出する（経路Ｂ）。
【００３４】
多数のリブ２６ａは、空気浄化フィルタ４１、４２と中核部材１４の他側面との密着を防止する。このため、経路Ａ１において外気取入部１１から通気口１４ｃに向かう下降流が生じ易くなっている。
【００３５】
ファンケース２２の他側壁２６とバックパネル１６との間に、着脱を要する手入れ部である空気浄化フィルタ４１、４２が配置されている。このため、バックパネル１６を外しても、ケースファン２２の反対側にある吸込部２４が露出することはない。加湿フィルタ４３、水タンク１８は、ファンケース２２の下方及びファンケース２２の一側壁２３とフロンパネル１５との間の空間の下方に配置されている。フロントパネル１５は、固定パネルのため、通常、取り外されることはない。加湿フィルタ４３、水タンク１８を外しても、吸込部２４が露出することはない。このように、実施例は、加湿と空気浄化の両方を備える高機能でありながら手入れ時に吸込部２４が露出するケーシング構造でなく、安全性を確保しながら吸込部２４の開口面積を増やすことができる。
【００３６】
なお、上述の事態をより確実に防ぎたい場合は、繋ぎ壁に頼らない他の指入れ防止手段を追加すればよい。例えば、図４、図８に示すように、水タンク１８を抜いた状態で、引き出し口１７から強引に手を入れたとしても、多数のリブ２３ｅを形成することにより吸込部２４に指が届かないようにすることができる。
【図面の簡単な説明】
【００３７】
【図１】実施例に係る空気調和機の外観を示す全体斜視図
【図２】実施例に係る空気調和機の全体構成を示す概略縦断面図
【図３】図２の一方の中核部材を一側方から示す全体斜視図
【図４】図１の水タンクを外した状態の斜視図
【図５】図１のタンクカバーを外した状態の斜視図
【図６】ａは図５の給水タンクのハンドルの分解斜視図、ｂは前記ａのハンドルを立てた状態の正面図、ｃは前記ａの突部の作用図
【図７】ａは図２の他方の中核部材を他側方から示す全体斜視図、ｂは前記ａの中核部材を一側方から示す全体斜視図
【図８】ａは図３の中核部材を一側方から示す正面図、ｂは前記ａのｂ−ｂ線の断面を示す要部拡大断面図
【符号の説明】
【００３８】
１０  ケーシング
１１  外気取入部
１２  空気噴出部
１３、１４  中核部材
１４ａ  囲い壁
１４ｂ  底壁
１４ｃ  通気口
１５  フロントパネル
１６  バックパネル
１７  引き出し口
１８  水タンク
１９  給水タンク
２０  送風ファン
２１  水平軸
２２  ファンケース
２３  一側壁
２３ａ  モータステー部
２３ｂ〜２３ｄ  繋ぎ壁
２４  吸込部
２５  吐出部
２６  他側壁
２６ａ、２３ｅ  リブ
２３ｇ  面部
２３ｆ  補強リブ部
３０  駆動モータ
４１、４２  空気浄化フィルタ
４３  加湿フィルタ
５０  給水タンク
５１  ハンドル
５２  軸部
５３  突部
５４  凹部
【図１】
2009281700.tif 000003
【図２】
2009281700.tif 000004
【図３】
2009281700.tif 000005
【図４】
2009281700.tif 000006
【図５】
2009281700.tif 000007
【図６】
2009281700.tif 000008
【図７】
2009281700.tif 000009
【図８】
2009281700.tif 000010